(57)【要約】【課題】開閉使用時に出来る襞溜り３４の嵩を縮め、カーテン２１を開けて現れる開口部３５の面積を広くすることが出来、カーテンレール１１から外れ難く楽に吊るすことの出来るカーテンを得る。【解決手段】カーテン生地の上縁２０に取り付けられる桿状の取付部１３と、その取付部の片端（２３）からＵ字状に折り返されて取付部の長さ方向に続く折返部１４と、その折返部の先端部分が曲折して隆起した鈎部１５と、その鈎分から取付部の長さ方向に突き出た桿状の差込部１６とによって構成されたカーテンフック１８を、取付部１３の長さ方向をカーテン生地１９の横幅方向に向けてカーテン生地の上縁２０に取り付ける。カーテンフックの差込部の先端２２を取付部１３の端部（２３・２４）よりも長く突き出す。【選択図】　　　図４
2004000350.tif 000002
【特許請求の範囲】
【請求項１】
（ａ）　カーテン生地の上縁（２０）に取り付けられる桿状の取付部（１３）と、
（ｂ）　その取付部の片端（２３）からＵ字状に折り返されて取付部の長さ方向に続く折返部（１４）と、（ｃ）　その折返部（１４）の先端部分が曲折して構成する円弧状に隆起した鈎部（１５）と、
（ｄ）　その鈎分（１５）から取付部（１３）の長さ方向に突き出た桿状の差込部（１６）とによって構成されるカーテンフック（１８）が、
（ｅ）　桿状の取付部（１３）が、その長さ方向をカーテン生地（１９）の横幅方向に向けて、カーテン生地の上縁（２０）に取り付けられており、
（ｆ）　カーテンフックの差込部の先端（２２）が、その取付部（１３）の端部（２３・２４）よりも長く突き出ていることを特徴とするカーテン。
【請求項２】
（ｇ）　前掲請求項１に記載のカーテンフックの折返部（１４）と差込部（１６）が、取付部（１３）の長さ方向に並んでおり、且つ、
（ｈ）　折返部（１４）と差込部（１６）が、Ｕ字状に取付部（１３）に向かい合っており、
（ｉ）　その向かい合う差込部（１６）と取付部（１３）の間に、吊り具（１２）を鈎部（１５）へと導くガイド溝（２５）が形成されており、
（ｊ）　その差込部の先端（２２）が、折返部（１４）へとＵ字状に折り返されている取付部（１３）の折返端（２３）の反対側に位置する取付部の他の片端（２４）よりも長く突き出ていることを特徴とする前掲請求項１に記載のカーテン。
【請求項３】
（ｋ）　前掲請求項１に記載のカーテンフックの折返部（１４）と差込部（１６）が、鈎部（１５）を境にして折り畳まれてＵ字状に向かい合っており、
（ｌ）　その向かい合う折返部（１４）と差込部（１６）の間に、吊り具（１２）を鈎部（１５）へと導くガイド溝（２５）が形成されており、
（ｍ）　その差込部の先端（２２）が、折返部（１４）へとＵ字状に折り返されている取付部（１３）の折返端（２３）よりも長く突き出ていることを特徴とする前掲請求項１に記載のカーテン。
【請求項４】
（ｎ）　　前掲請求項３に記載の折返部（１４）へとＵ字状に折り返されている取付部（１３）の折返端（２３）の反対側に位置する取付部の他の片端（２４）が、その折返端（２３）の折返部（１４）とは逆向きにＵ字状に折り返されて鈎状部（３２）を形成しており、
（ｏ）　その鈎状部（３２）の先端（３１）が、折返部（１４）と鈎部（１５）に向けて突き出ている前掲請求項３に記載のカーテン。
【発明の詳細な説明】
【０００１】
【発明の属する技術分野】
本発明は、カーテン生地１９の上縁２０に取り付けたカーテンフックを、カーテンレール１１の走行溝１０を走行するランナー１２に引っ掛けて吊るし、水平方向に開閉して使用されるカーテンに関するものである。
【０００２】
【従来の技術】
慣用されるカーテンフック３６は、ランナーに引っ掛けるための先端３７が下向きになった下向き鈎３８と、カーテン生地の上縁部分に引っ掛けるための先端が上向きになった上向き鈎を、軸材を介して連結して構成され、概してＮ字形を成している。通常、カーテン生地１９は、上縁部分にテープ芯地を取り付けて折り返し、或いは、折り返した上縁部分の折返代にテープ芯地を取り付けて仕立てられている。カーテンフック３６は、その上向き鈎を上縁部分の折返代かテープ芯地に差し込んでカーテン生地１９に取り付けられている（図１０）。
【０００３】
カーテン生地に取り付けられたカーテンフック３６は、その下向き鈎３８がカーテン生地１９の表面に対して直角に突出した恰好になる（図１０）。このため、カーテン２１を開けて引き寄せると、折り畳まれたカーテン生地とカーテン生地の間に下向き鈎３８の突出高さＨに相応する隙間３０が出来、カーテンフック３６の下向き鈎３８の突出高さＨとカーテン生地１９の厚みを合計した分厚い寸法Ｋの襞溜り３４がカーテンレール１１の片隅に出来る。その結果、カーテン２１の取り付けられている車両や建物等の窓や出入口等の開口部では、カーテン２１を開けてもカーテンレールの長さと同程度に広く開放することは出来ず、カーテン２１を開けて開放される開口部の幅は、カーテンレールの長さから襞溜り分３４の寸法Ｋを差し引いた寸法になる。
【０００４】
しかし、車窓のように狭い空間に設けられている開口部３５では、カーテンを開けたとき広く開放されることが望まれる。そこで本発明者は、カーテンを開いて出来る襞溜り３４の嵩を少なくし、車両や建物等の窓や出入口等の開口部３５を広く開放することが出来、又、カーテンの開閉使用時にカーテン生地に引っ掛かったりしないカーテンフック４７を発明し、特願２００１−３４８０３８に開示している。
【０００５】
この特願２００１−３４８０３８に係るカーテンフック４７（以下、先願カーテンフックと言う。）は、図１１に示すように、カーテン生地の上縁２０に取り付けられる桿状の取付部１３と、その取付部の片端（２３）からＵ字状に折り返されて取付部１３の長さ方向に続く折返部１４と、その折返部１４の先端部分が曲折して構成する円弧状に隆起した鈎部１５とによって構成されている。その鈎部１５の先端４６と取付部１３の周側面の間は、吊り具１２を鈎部１５へと導く吊り具押込隙間１７を構成している。円弧状を成す鈎部全体１５と取付部１３と折返部１４とは、同一平面内に納まるように構成されている。このため、カーテン生地に取り付けられた状態においては、鈎部１５は、カーテン生地１９の表面に突き出ることはなく、カーテン生地１９の表面と同一平面内に納まり、鈎部１５がカーテン生地１９の表面に突き出ない分だけ襞溜り３４の嵩が縮まり、カーテン２１を開けて現れる開口部３５の面積を広くすることが出来る。
【０００６】
【発明が解決しようとする課題】
然るに、先願カーテンフック４７では、吊り具１２に引っ掛かる鈎部の先端部分４６が、取付部１３の両端の中間に位置し、取付部１３の先端部分４５が、鈎部の先端部分４６よりも長く突き出ている。このため、鈎部の先端部分４６を吊り具１２に引っ掛けようとするとき、鈎部の先端部分４６よりも先に取付部１３の先端部分４５が吊り具１２に触れ、その触れる取付部１３の先端部分４５が邪魔になって、鈎部の先端４６を吊り具１２に引っ掛け難くなる。そこで、吊り具１２に引っ掛け易くするために、鈎部の先端４６と取付部１３の周側面の間の吊り具押込隙間１７を広くするときは、元々鈎部の先端部分４４が短いこともあって、先願カーテンフック４７が吊り具１２から外れ易くなる。
【０００７】
【発明の目的】
そこで本発明は、カーテンを開いて出来る襞溜り３４の嵩を少なくし、車両や建物等の窓や出入口等の開口部３５を広く開放することが出来、又、カーテンの開閉使用時にカーテン生地にカーテンフックが引っ掛かったりしないようにすると共に、カーテンフックを吊り具に引っ掛け易く、且つ、吊り具から外れ難くすることを目的とする。
【０００８】
【課題を解決するための手段】
本発明に係るカーテンは、（ａ）　カーテン生地の上縁２０に取り付けられる桿状の取付部１３と、（ｂ）　その取付部の片端（２３）からＵ字状に折り返されて取付部１３の長さ方向に続く折返部１４と、（ｃ）　その折返部１４の先端部分が曲折して構成する円弧状に隆起した鈎部１５と、（ｄ）　その鈎部１５から取付部１３の長さ方向に突き出た桿状の差込部１６とによって構成されるカーテンフック１８が、（ｅ）　桿状の取付部１３が、その長さ方向をカーテン生地１９の横幅方向に向けて、カーテン生地の上縁２０に取り付けられており、（ｆ）　カーテンフックの差込部の先端２２が、その取付部１３の端部（２３・２４）よりも長く突き出ていることを第１の特徴とする。
【０００９】
本発明に係るカーテンの第２の特徴は、上記第１の特徴に加えて、（ｇ）　カーテンフックの折返部１４と差込部１６が、取付部１３の長さ方向に並んでおり、且つ、（ｈ）　折返部１４と差込部１６が、Ｕ字状に取付部１３に向かい合っており、（ｉ）　その向かい合う差込部１６と取付部１３の間に、吊り具１２を鈎部１５へと導くガイド溝２５が形成されており、（ｊ）　その差込部の先端２２が、折返部１４へとＵ字状に折り返されている取付部１３の折返端２３の反対側に位置する取付部の他の片端２４よりも長く突き出ている点にある。
【００１０】
本発明に係るカーテンの第３の特徴は、上記第１の特徴に加えて、（ｋ）　カーテンフックの折返部１４と差込部１６が、鈎部１５を境にして折り畳まれてＵ字状に向かい合っており、（ｌ）　その向かい合う折返部１４と差込部１６の間に、吊り具１２を鈎部１５へと導くガイド溝２５が形成されており、（ｍ）　その差込部の先端２２が、折返部１４へとＵ字状に折り返されている取付部１３の折返端２３よりも長く突き出ている点にある。
【００１１】
本発明に係るカーテンの第４の特徴は、上記第３の特徴に加えて、（ｎ）　折返部１４へとＵ字状に折り返されている取付部１３の折返端２３の反対側に位置する取付部の他の片端２４が、その折返端２３の折返部１４とは逆向きにＵ字状に折り返されて鈎状部３２を形成しており、（ｏ）　その鈎状部３２の先端３１が、折返部１４と鈎部１５に向けて突き出ている点にある。
【００１２】
【発明の実施の形態】
カーテン生地には、織物、編物、不織布等の布帛の他に、プラスチックフイルム、複数枚の布帛やプラスチックフイルムを積層した積層シートが使用される。カーテン２１は、カーテンレール１１を走行するランナー１２に導かれて横方向に開閉して使用される一般の横開きカーテン、カーテン生地１９の上縁２０から下縁まで真っ直ぐに続く折目２７・２８がセットされたプリーツカーテンやアコーディオンカーテン、カーテン生地の上縁に軸材が取り付けられていて扉や雨戸、障子、襖等の建具と同じように横幅寸法を変えずパネルとして一枚づつ移動して開閉されるパネルカーテン等の水平方向に開閉して使用されるカーテンの他に、カーテン生地の上縁がカーテンレールに固定されていて移動しないスタイルカーテン、カーテン生地を巻き上げて開閉されるロールスクリーン、或いは、カーテン生地をたくし上げて開閉されるローマンシェードとして仕立てられたものであってもよい。
【００１３】
図２〜図６に示すカーテンフックは、鋼線を折曲加工して作られており、鈎部１５が取付部１３の中央部分に位置し、天秤のように左右のバランスを保ってランナー１２に吊り下げられるようになっている。カーテン２１をカーテンレール１１に吊るすときは、カーテンレールに装着されているランナーの係合孔４３に差込部の先端２２を引っ掛け、そのまま鈎部１５が係合孔４３に達するまで深く差し込む。その差込部の先端２２をランナーの係合孔４３に引っ掛けると、カーテン生地１９から伝わる荷重が差込部の先端２２に作用し、折返端２３を起点として差込部１６と折返部１４が撓み、ガイド溝２５が広げられるので、難なく係合孔４３へと奥深く差込部１６を押し込むことが出来る。
【００１４】
そのようにカーテン２１を吊るすとき、差込部１６に向かい合わせになっている取付部１３の片端（２３・２４）が、その向かい合う差込部の先端２２より後退した位置にあるので、差込部の先端２２よりも先にランナー１２に触れることはなく、又、カーテン生地１９の上縁２０が、その取付部の片端（２３・２４）によって差込部の先端２２よりも高く突き上げられることがなく、ランナーの係合孔４３に差込部の先端２２を引っ掛ける際に邪魔にならない。このため、差込部の先端２２を取付部１３の先端（２３・２４）よりも先にランナー１２に引っ掛け、そのまま係合孔４３に奥深く押し込んで、カーテン２１をカーテンレール１１に楽に吊るすことが出来る。
【００１５】
図２と図３に示すカーテンフックでは、折返部１４と差込部１６が、取付部１３の長さ方向に並んでＵ字状に取付部１３に向かい合っており、その向かい合う差込部１６と取付部１３の間に吊り具１２を鈎部１５へと導くガイド溝２５が形成されており、その差込部の先端２２が折返端２３とは反対側の取付部の先端２４よりも長く突き出ている。取付部１３の中間部分には、カーテンフックを構成している鋼線の太さに相応したステップ（段差）４２が付けられており、そのステップ４２を境とする取付部の先端部分４５と折返部１４とは一直線状に並んでいる。
【００１６】
図４と図５に示すカーテンフックでは、折返部１４と差込部１６が鈎部１５を境にして折り畳まれてＵ字状に向かい合っており、その向かい合う折返部１４と差込部１６の間に、吊り具１２を鈎部１５へと導くガイド溝２５が形成されており、その差込部の先端２２が折返端２３よりも長く突き出ている。図２と図３に示すカーテンフックでは、カーテンの重量その他の荷重がランナー１２に作用して取付部１３と折返部１４の間が開かれると、その開かれた分だけガイド溝２５が広くなってカーテンフック１８がランナー１２から外れ易くなる。この点、図４と図５に示すカーテンフックでは、荷重が作用して取付部１３と折返部１４の間に開きが生じても、その取付部１３と折返部１４の間が開かれた分だけガイド溝２５が広がることはなく、図２と図３に示すカーテンフックのように取付部１３と折返部１４の間の隙間が広がってランナー１２から外れ易くなると言うことはない。この点からして、図２と図３に示すように、折返部１４と差込部１６が取付部１３に平行に続き、差込部１６と取付部１３の間をガイド溝２５とするよりも、図４と図５に示すように、鈎部１５を境に折返部１４と差込部１６に折り返し、折返部１４と差込部１６の間をガイド溝２５とする方がよい。
【００１７】
カーテン生地の上縁部は折り畳まれ、その重なり合うカーテン生地本体１９と折畳代４１が２条のミシン糸目４０・４０によって縫合され、カーテン生地の折目（２０）とミシン糸目４０の間は、上縁２０に沿って長く続く溝孔３９になっている。カーテンフック１８は、その溝孔３９に向けて開けられた差込孔３３、或いは、ミシン針の差込跡としてミシン糸目４０に出来る差込孔（３３）から溝孔３９へと取付部の先端４５を差し込み、折返端２３が差込孔３３に達するまで取付部１３を深く溝孔３９に押し込み、折返端２３を差込孔３３に押し込んでから、差込孔３３に鈎部１５が突き当たるまで引き戻し、溝孔３９に取付部１３と差込部１６を押し込んでカーテン生地１９に装着される。
【００１８】
図６と図７に示すカーテンフックでは、Ｕ字状に折り返されて折返部１４へと続く折返端２３とは反対側の取付部の片端２４が、折返部１４とは逆向きに折り返されて鈎状部３２を形成しており、その鈎状部３２の先端３１が、折返部１４と鈎部１５に向けて突き出ている。この図６と図７に示すカーテンフックでは、カーテン生地の上縁２０の溝孔３９に取付部１３を押し込んでから、鈎状部３２をカーテン生地の外側に突き出すと、鈎状部３２と折返端２３の２箇所がカーテン生地に引っ掛かる。従って、取付部１３が抜け出し易いポーラスなカーテン生地１９を使用したカーテン２１でも、その洗濯時にカーテンフック１８がカーテン生地１９から外れることがない。このため、本発明のカーテンは、過酷な条件の下で頻繁に洗濯される業務用のレンタルカーテンとして有効である。
【００１９】
図６〜図８は、病室の間仕切りに使用されるレンタルカーテンを図示し、カーテン生地は、粗いネット状に織編された通気採光部２６と緻密に織編された遮蔽部２９によって上下に区切られている。通気採光部２６の上側は、遮蔽部２９と同様に緻密に織編された耳部になっている。この耳部は、２条の帯状耳４８・４９として織編しつつ、その２条の帯状耳４８・４９を一定の間隔Ｌをもって糸条によって連結して構成されている。その連結している連結箇所５１と連結箇所５１の距離Ｌは、カーテンフックの取付部１３の長さと同じに設定されており、その連結箇所５１と連結箇所５１の間は、２条の帯状耳４８・４９に挟まれた細長い隙間５０になっている。これらの２条の帯状耳は、その細長い隙間５０を境に折り畳んで縫合され、そのとき折り畳まれる連結箇所５１の糸条は、カーテン生地の上縁に突き出た輪奈（５１）を形成している。
【００２０】
そのように連結箇所５１・５１の間隔（Ｌ）が取付部１３と同じ長さに設定されているので、隣合う２つの輪奈（５１・５１）に続けて取付部１３を押し込み、鈎状部３２の先端３１を片方の輪奈（５１）から突き出すと、その先端３１が突き出た片方の輪奈（５１）に鈎状部３２が引っ掛かり、他の片方の輪奈（５１）には折返端２３が引っ掛かることになる。このように、鈎状部３２と折返端２３が２つの隣合う輪奈（５１・５１）に引っ掛かるので、カーテンフック１８が、カーテンの上縁２０の長さ方向（カーテンの横幅方向）にズレ動くことなく、カーテン生地の上縁に確り係止される。この点からして、図６と図７に示すカーテンフック１８は、取付部１３（鈎状部３２）が差し込み易い目粗なカーテン生地１９を使用する場合に効果的である。
【００２１】
【発明の効果】
本発明（請求項１〜４）によると、先願カーテンフック４７と同様に桿状の取付部１３と折返部１４と円弧状に隆起した鈎部１５とによって構成されたカーテンフック１８が、その取付部１３の長さ方向をカーテン生地１９の横幅方向に向けて、カーテン生地の上縁２０に取り付けられているので、鈎部１５がカーテン生地１９の表面に突き出さず、鈎部１５がカーテン生地１９の表面と同一平面内に納まり、その鈎部１５がカーテン生地１９の表面に突き出ない分だけ襞溜り３４の嵩が縮まり、カーテン２１を開けて現れる開口部３５の面積を広くすることが出来、カーテン２１の上縁２０がシンプルになり、開閉使用時にカーテン生地にカーテンフックが引っ掛り難くなる。
【００２２】
又、本発明（請求項１〜４）によると、差込部の先端２２が取付部１３の端部（２３・２４）よりも長く突き出ているので、カーテンフック１８が吊り具１２から外れ難くなると共に、吊り具１２の係合孔４３に差込部１６が引っ掛け易くなり、カーテン２１がカーテンレール１１に楽に吊るせるようになる。
【００２３】
本発明（請求項３）によると、カーテン生地１９を介して伝わる荷重が作用して取付部１３と折返部１４の間に開きが生じても、その取付部１３と折返部１４の間が開かれた分だけガイド溝２５が広がることはなく、カーテンフック１８が吊り具１２から外れ難く、カーテン２１がカーテンレール１１に確り吊るせるようになる。
【００２４】
本発明（請求項４）によると、取付部の両端（鈎状部３２と折返端２３）がカーテン生地の上縁に引っ掛かるので、過酷な条件下での洗濯においてもカーテンフック１８がカーテン生地１９から外れ難く、頻繁に洗濯して使用される業務用のレンタルカーテンに適したカーテンが得られる。
【図面の簡単な説明】
【図１】本発明に係るカーテンの仰視斜視図である。
【図２】本発明に係るカーテンの要部斜視図である。
【図３】本発明に係るカーテンのカーテンレールに吊るす過程における要部斜視図である。
【図４】本発明に係るカーテンの要部斜視図である。
【図５】本発明に係るカーテンのカーテンレールに吊るす過程における要部斜視図である。
【図６】本発明に係るカーテンのカーテンレールに吊るされた状態における正面図であり、一部を円で囲んで拡大して図示している。
【図７】本発明に係るカーテンの要部斜視図である。
【図８】本発明に係るカーテン生地の上縁部分の正面図である。
【図９】カーテンの使用状態における正面図である。
【図１０】従来のカーテンの仰視斜視図である。
【図１１】従来のカーテンフックの斜視図である。
【符号の説明】
１０　ランナー走行溝
１１　カーテンレール
１２　ランナー（吊り具）
１３　取付部
１４　折返部
１５　鈎部
１６　差込部
１７　押込隙間
１８　カーテンフック
１９　カーテン生地（本体）
２０　上縁
２１　カーテン
２２　差込部の先端
２３　端部（片端、折返端）
２４　端部（片端）
２５　ガイド溝
２６　通気採光部
２７・２８　折目
２９　遮蔽部
３０　隙間
３１　鈎状部の先端
３２　鈎状部
３３　差込孔
３４　襞溜り
３５　開口部（車窓）
３６　従来のカーテンフック
３７　従来のカーテンフックの先端
３８　下向き鈎
３９　溝孔
４０　ミシン糸目
４１　折畳代
４２　ステップ
４３　ランナーの係合孔
４４　鈎部の先端部分
４５　取付部の先端部分
４６　鈎部の先端部分
４７　先願のカーテンフック
４８・４９　帯状耳
５０　隙間
５１　連結箇所（輪奈）
Ｌ　　長さ
Ｋ　　襞溜りの寸法
Ｈ　　下向き鈎の突出高さ
【図１】
2004000350.tif 000003
【図２】
2004000350.tif 000004
【図３】
2004000350.tif 000005
【図４】
2004000350.tif 000006
【図５】
2004000350.tif 000007
【図６】
2004000350.tif 000008
【図７】
2004000350.tif 000009
【図８】
2004000350.tif 000010
【図９】
2004000350.tif 000011
【図１０】
2004000350.tif 000012
【図１１】
2004000350.tif 000013